(57)【要約】【課題】ユニットバスにおける浴槽パン上の定位置に浴槽を位置決めして固定できるようにするとともに、浴槽を洗い場側へ移動可能となるようにして浴槽が定位置に配設されていた部分の浴槽パンの表面の清掃が可能となるようにする。【解決手段】境界部分において段差が形成されないように浴槽パンと洗い場パンを一体に形成していなり、前記浴槽パン上に、底部に複数のキャスターを備えた浴槽を配設する。【選択図】    図１
2006336250.tif 000002
【特許請求の範囲】
【請求項１】
境界部分において段差が形成されないように浴槽パンと洗い場パンを一体に形成してなり、前記浴槽パン上に、底部に複数のキャスターを備えた浴槽を配設するようにしたことを特徴とする浴槽設置構造。
【請求項２】
定位置に浴槽を配設した状態において、該浴槽のキャスターの固定位置に対応する浴槽パンの表面に凹陥部が形成されていることを特徴とする請求項１記載の浴槽設置構造。
【請求項３】
洗い場側に面する凹陥部の深さを浅く形成し、水勾配による傾斜を吸収して浴槽本体の水平状態を保つようにしたことを特徴とする請求項２記載の浴槽設置構造。
【請求項４】
境界部分において段差が形成されないように浴槽パンと洗い場パンを一体に形成してなり、前記浴槽パン上の定位置に浴槽を配設した状態において、該浴槽の底部に備えたキャスターの固定位置に対応する浴槽パンの表面に凹陥部が形成されており、該凹陥部に前記キャスターの車輪が没入したとき、浴槽本体のフランジの端部が係合する係止部材を浴室の壁面に取り付けたことを特徴とする浴槽設置構造。
【発明の詳細な説明】
【技術分野】
【０００１】
本発明は、浴槽パンと洗い場パンを一体化し、浴槽パン上に浴槽を配設するようにしたユニットバス（洗い場付き浴槽）における浴槽設置構造に関するものである。
【背景技術】
【０００２】
一般に家屋やマンション住宅などへ組み込むユニットバスは、浴湯が浴室外へ漏出するのを防ぐため、浴槽を載置するための浴槽パンと洗い場パンが一体化された構造となっている。そして、浴槽パンと洗い場パンの外側四辺に壁パネルおよびドアパネルを立設し、天井パネルを配設して浴室を構成する。このように構成される浴室では、近年の傾向として浴槽を洗い場より一段低くなるようにするため、浴槽パンが洗い場パンより低く落とし込まれた状態に形成されている（例えば、特許文献１）。
【０００３】
図１１および図１２は、このような設計方針によるユニットバスにおける浴槽１０１、浴槽パン１０２、洗い場パン１０３の構築状態を示す図であり、同図に示すように建築床Ｂ上に配置した支持装置Ｈにより浴槽パン１０２および洗い場パン１０３が支持され、さらに浴槽パン１０２上に浴槽１０１が配設される。そして、浴槽１０１のフランジと壁パネルとの接触部にコーキング剤を充填し、浴槽１０１の側部および後部から浴湯が漏出するのを防止するようにしている。
【０００４】
このように構築されたユニットバスでは、浴槽１０１への配管・給湯器具Ｃの点検修理が可能となるようにするため、浴槽１０１の前面が開放できるように着脱可能のエプロン１０４が配設される。図１２は、このエプロン１０４を浴槽１０１の開口部１０１ａから取り外した状態を示すもので、同図に示すように配管・給湯機器Ｃが洗い場側に現れ、点検修理が可能となる。
【特許文献１】特開２００５−２７３９号公報
【発明の開示】
【発明が解決しようとする課題】
【０００５】
以上のようにして構築されたユニットバスでは、エプロン１０４の着脱は比較的容易に行えるようにしておかなければならず、通常、浴槽１０１の開口部１０１ａの開口周縁に形成した嵌合溝１０１ｂにエプロン１０４外周縁を嵌め込むようにしている。
【０００６】
したがって、浴槽１０１とエプロン１０４との間には僅かに隙間が形成され、完全な水密状態を期待することができない。このような状態で入浴、シャワー浴を行うと、浴槽１０１から溢れ、または飛散した浴湯がエプロン１０４を嵌め込んだ部分に流れ込み、さらにこの浴湯が浴槽１０１の内部に浸入する。
【０００７】
かかる状況により浴湯が浴槽１０１の内部に浸入する場合は、当然、入浴者の人体の垢や油成分、そして毛髪などを伴うことがあり、これらが浴槽パン１０２の表面１０２ａに残留し、いわゆるヌメリとなって堆積してしまうことになる。そして、高温、湿潤な浴室では、堆積した垢などからカビが発生し、不衛生な状態となる。
【０００８】
このような不具合は既に認知されているのであるが、上述したように構築されたユニットバスは浴槽１０１のフランジの外周縁がコーキング剤でシールされ、且つ、フランジの裏面がＬ金具などにより数カ所が固定されることから完全に浴室内に固定された状態であるため、これを移動して浴槽パン１０２の表面１０２ａを清掃するようなことは不可能であり、一旦、カビなどが発生してしまうと不衛生な状態が継続されてしまうことになる。
【課題を解決するための手段】
【０００９】
本発明は、かかる従来の問題に鑑みなされたものであり、以下に述べる各手段により上記課題を解決するようにした。即ち、請求項１記載の発明では、境界部分において段差が形成されないように浴槽パンと洗い場パンを一体に形成してなり、前記浴槽パン上に、底部に複数のキャスターを備えた浴槽を配設する。
【００１０】
請求項２記載の発明では、上記請求項１記載の発明において、定位置に浴槽を配置した状態において、該浴槽のキャスターの固定位置に対応する浴槽パンの表面に凹陥部を形成する。
【００１１】
請求項３記載の発明では、上記請求項２記載の発明において、洗い場側に面する凹陥部の深さを浅く形成し、水勾配による傾斜を吸収して浴槽本体の水平状態を保つ。
【００１２】
請求項４記載の発明では、境界部分において段差が形成されないように浴槽パンと洗い場パンを一体に形成してなり、前記浴槽パン上の定位置に浴槽を配設した状態において、該浴槽の底部に備えたキャスターの固定位置に対応する浴槽パンの表面に凹陥部が形成されており、該凹陥部に前記キャスターの車輪が没入したとき、浴槽本体のフランジの端部が係合する係止部材を浴室の壁面に取り付ける。
【発明の効果】
【００１３】
請求項１記載の発明によれば、浴槽パンと洗い場パンとの間に段差が形成されないようにし、浴槽の底部に複数のキャスターを固定したことから浴槽本体を洗い場側へ移動することができ、これにより浴槽が定位置に配設されていた部分の浴槽パンの表面の清掃を行うことができる。
【００１４】
請求項２記載の発明によれば、浴槽パンの表面に凹陥部を形成したので、この凹陥部で浴槽に固定したキャスターの車輪の転動が阻止され、浴槽の正確な位置決めが可能となるとともに、浴槽本体の安定した配設が可能となる。
【００１５】
請求項３記載の発明によれば、浴槽パンの洗い場側に面する凹陥部の深さを浅く形成したことにより、水勾配による傾斜が吸収され、浴槽本体の水平状態を保つことができる。
【００１６】
請求項４記載の発明では、浴槽パンの凹陥部にキャスターの車輪が没入したとき、浴室の壁面に取り付けた係止部材に浴槽本体のフランジの端部が係合するので、浴槽本体の定位置への固定が確実となる。
【発明を実施するための最良の形態】
【００１７】
以下、本発明の実施の形態を図にもとづいて詳細に説明する。なお、従来の説明と共通する部分には共通の符号を付し、その説明を省略する。
【００１８】
図１は、本発明によるユニットバスにおける浴槽１、浴槽・洗い場パン２、の構築状態を示すもので、この浴槽・洗い場パン２は中央の境界部において段差が形成されないようにしたものであるが、外周から排水口へ向けて下り勾配の水勾配が形成されている。そして、この浴槽・洗い場パン２の浴槽パン部には、浴槽１の底部に固定されたキャスター３に対応する位置に凹陥部２ａ・２ｂが形成されている。
【００１９】
前記凹陥部２ａ・２ｂは、図２に示すように壁面側の凹陥部２ａに対し洗い場側に面する凹陥部２ｂの深さが浅くなるように形成されている。これにより、凹陥部２ａ・２ｂに浴槽１のキャスター３の車輪３ａが位置すると、この車輪３ａの直径が同一であることから、洗い場側に面するの車輪３ａの高さ位置が相対的に高くなることにより水勾配による浴槽パン部の傾斜θが吸収され、車輪３ａ間の水平レベルＨＬ２を基準水平レベルＨＬ１に一致させることができ、浴槽１の水平状態を保つことができる。
【００２０】
図３は、以上のように構成された浴槽・洗い場パン２の浴槽パン部に浴槽１を配設した状態を拡大して示したもので、浴槽１の内部構造はそのエプロン１ａで覆われた状態となり、図４に示すように浴室内に配設された場合においても室内との一体感を損なうことはない。
【００２１】
このようにして浴槽１を配設し、キャスター３の車輪３ａが凹陥部２ａ・２ｂに没入すると、この凹陥部２ａ・２ｂの上り勾配がキャスター３の車輪３ａに対して楔となる効果を奏するため車輪３ａの転動を阻止することになり、浴槽１を定位置に安定させることができる。さらに、本発明では、キャスター３の車輪３ａが凹陥部２ａ・２ｂに没入する前後の高低差（図２・符号ｈ１）を利用し、浴槽１の固定状態を確実となるようにした。
【００２２】
かかる構成は、図１に示すように浴室の壁パネルＤに係止部材４を固定し、この係止部材４と壁パネルＤとの間に形成される開口に浴槽１のフランジ１ｂの端部が係合するようにした。図５（Ａ）（Ｂ）は、浴槽１のキャスター３の車輪３ａが凹陥部２ａ・２ｂに没入する直前の状態、即ち、キャスター３の車輪３ａは図５（Ｂ）に示すように浴槽・洗い場パン２の表面上にある状態であり、浴槽１が係止部材４に対し高位置にある状態を示す。
【００２３】
図５（Ａ）（Ｂ）の状態から更に浴槽１が配設方向へ押し込まれると、図６（Ａ）に示すようにフランジ１ｂの端部が係止部材４の開口に臨む一方、キャスター３の車輪３ａが凹陥部２ａに臨む。そして、更に浴槽１が配設方向へ押し込まれると、図７（Ｂ）に示すようにキャスター３の車輪３ａが凹陥部２ａに没入し、これに伴い浴槽１のフランジ１ｂの端部が図７（Ａ）に示すように係止部材４に係合する。
【００２４】
つぎに、以上のようにして構成された本発明による浴槽設置構造において、浴室内で浴槽１を移動する場合について説明する。図８（Ａ）に示すように浴槽１のキャスター３の車輪３ａが凹陥部２ａ・２ｂに没入し、フランジ１ｂの端部が係止部材４に係合している状態で定位置に固定されている場合、まず、浴槽１を僅かに引き上げ、フランジ１ｂの端部と係止部材４との係合を解除する。
【００２５】
そして、浴槽１を洗い場側へ引き寄せることによりキャスター３の車輪３ａは凹陥部２ａ・２ｂから浴槽・洗い場パン２の表面に乗り上げるので、そのまま移動させることができる。図８（Ｂ）は、浴槽１の排水口１ｃと浴槽・洗い場パン２の排水口２ｃとの間に排水パイプＰを接続したまま浴槽１を引き出した状態を示すもので、図８（Ｃ）は、浴槽・洗い場パン２の排水口２ｃから排水パイプＰを外して浴槽１を大きく引き出した状態を示す。
【００２６】
図９は、ラウンド形状の浴槽１を採用した例を示すもので、浴室内のスペースに余裕がない場合において本発明の実現に有効となる。即ち、上述の例によるように、浴槽１のフランジの平面形状が方形の場合、その対角線の距離を含む横幅の浴室としなければならない。しかしながら、ラウンド形状の浴槽を採用することにより、浴室の横幅は浴槽の長手方向の距離を含む長さとすることができる。
【００２７】
図１０（Ａ）は、かかる条件にもとづいて浴槽１が浴槽・洗い場パン２の浴槽パン部に配設された状態を示すもので、浴槽１のキャスター３の車輪３ａが凹陥部２ａ・２ｂに没入し、フランジ１ｂの端部が係止部材４に係合して定位置に固定されている。かかる状態から浴室内で浴槽１を移動する場合は、まず、浴槽１を僅かに引き上げ、フランジ１ｂの端部と係止部材４との係合を解除する。
【００２８】
そして、浴槽１を洗い場側へ引き寄せることによりキャスター３の車輪３ａは凹陥部２ａ・２ｂから浴槽・洗い場パン２の表面に乗り上げるので、そのまま移動させることができる。図１０（Ｂ）は、浴槽１の排水口１ｃと浴槽・洗い場パン２の排水口２ｃとの間に排水パイプＰを接続したまま浴槽１を引き出した状態を示すもので、図１０（Ｃ）は、浴槽・洗い場パン２の排水口２ｃから排水パイプＰを外して浴槽１を大きく引き出した状態を示す。
【００２９】
以上、詳細に説明したように本発明の浴槽設置構造によれば、浴槽１を定位置から洗い場側へ移動できるようにしたので、それまで浴槽１により覆われていた浴槽パン部を浴室内に露呈させることができ、この部分の清掃が容易に可能となり、堆積したカビや老廃物を除去して衛生状態を高く保つことができる。
【図面の簡単な説明】
【００３０】
【図１】本発明の構成を説明する図である。
【図２】本発明の構成の要部を説明する図である。
【図３】本発明における浴槽の配設状態を説明する図である。
【図４】本発明により浴槽を浴室に配設した状態を示す図である。
【図５】本発明により浴槽を固定する第１行程を示す図である。
【図６】本発明により浴槽を固定する第２行程を示す図である。
【図７】本発明により浴槽を固定する第３行程を示す図である。
【図８】本発明の作用を説明する図である。
【図９】本発明により浴槽を浴室に配設した状態の他の例を示す図である。
【図１０】本発明の作用を説明する図である。
【図１１】従来の構成を説明する図である。
【図１２】従来の構成を説明する図である。
【符号の説明】
【００３１】
１・・・・・・浴槽
１ａ・・・・・エプロン
１ｂ・・・・・フランジ
１ｃ・・・・・排水口
２・・・・・・浴槽・洗い場パン
２ａ・・・・・凹陥部
２ｂ・・・・・凹陥部
２ｃ・・・・・排水口
３・・・・・・キャスター
３ａ・・・・・車輪
４・・・・・・係止部材
Ｄ・・・・・・壁パネル
【図１】
2006336250.tif 000003
【図２】
2006336250.tif 000004
【図３】
2006336250.tif 000005
【図４】
2006336250.tif 000006
【図５】
2006336250.tif 000007
【図６】
2006336250.tif 000008
【図７】
2006336250.tif 000009
【図８】
2006336250.tif 000010
【図９】
2006336250.tif 000011
【図１０】
2006336250.tif 000012
【図１１】
2006336250.tif 000013
【図１２】
2006336250.tif 000014